(57)【要約】      （修正有）【課題】補聴器における周波数増幅度パターン調整を容易にする。【解決手段】音響再生装置８は、オーディオ入力部９と、オーディオ入力部９の出力側に接続された音響信号処理部１１と、音響信号処理部１１の周波数増幅度パターンを設定する周波数増幅度パターン設定部１２と、音響信号処理部１１の出力側に設けられたオーディオ出力部１４とを備え、周波数増幅度パターン設定部１２は、複数の周波数に対する確認音を出力する確認音出力部２３と、確認音出力部２３からの確認音に対するユーザ判定結果を入力するユーザ判定部２４と、ユーザ判定部２４の判定結果に基づいて周波数増幅度パターンを設定するパラメータ決定部２５とを有し、パラメータ決定部２５には、音源補正部２８を接続した。【選択図】図４
2011239005.tif 000002
【特許請求の範囲】
【請求項１】
音響信号が入力されるオーディオ入力部と、
前記オーディオ入力部の出力側に接続されて、前記音響信号を増幅処理する音響信号処理部と、
前記音響信号処理部の周波数増幅度パターンを設定する周波数増幅度パターン設定部と、前記音響信号処理部の出力側に設けられて、前記音響信号を出力するオーディオ出力部とを備え、
前記周波数増幅度パターン設定部は、複数の周波数に対する確認音を出力する確認音出力部と、前記確認音出力部からの前記確認音に対するユーザの聴力判定結果を入力するユーザ判定部と、前記ユーザ判定部の聴力判定結果に基づいて前記周波数増幅度パターンを設定するパラメータ決定部とを有し、
前記パラメータ決定部には、ユーザの所望の周波数帯域を選択的に増幅するように前記周波数増幅度パターンを補正する音源補正部が接続された、音響再生装置。
【請求項２】
前記音源補正部は、複数の異なる音源の中から少なくとも１つを選択できる音源選択部を有する、請求項１に記載の音響再生装置。
【請求項３】
前記音源補正部は、前記音源選択部で選択された音源の周波数帯域を表示する表示部を有する、請求項２に記載の音響再生装置。
【請求項４】
前記表示部に表示された周波数帯域を調整する調整部を有する、請求項３に記載の音響再生装置。
【請求項５】
前記音源選択部は、楽器の選択を行う構成とした、請求項２から４のいずれかに記載の音響再生装置。
【発明の詳細な説明】
【技術分野】
【０００１】
本発明は、音響再生装置に関するものである。
【背景技術】
【０００２】
音響再生装置は、よく知られているように、オーディオ入力部と、このオーディオ入力部の出力側に接続された音響信号処理部と、この音響信号処理部の出力側に設けられたオーディオ出力部とを備え、オーディオ入力部からの音響信号を、音響信号処理部で増幅し、オーディオ出力部からスピーカに出力する構成となっている。近年、例えば年齢に伴う聴力の低下から、昔ほど良い音が聞こえなくなったので、この音響再生装置に、補聴器機能を持たせれば、良い音が聞こえるのではないかとの、期待が出されている。
【０００３】
すなわち、補聴器においては、補聴器使用者の聴力に応じて、周波数増幅度パターンを設定しているので、音響信号処理部の周波数増幅度パターンを、補聴器使用者の周波数増幅度パターンに合わせれば、良い音になるのでないかと、期待されているのである。また、補聴器使用者でなくとも、複数の周波数に対する確認音を試聴しながら周波数増幅度パターンを設定することも考えられる（例えば下記特許文献１）。
【先行技術文献】
【特許文献】
【０００４】
【特許文献１】特開平８−２９８６９９号公報
【発明の概要】
【発明が解決しようとする課題】
【０００５】
上記従来例における課題は、必ずしも期待通りの視聴感が体験できず、その結果、周波数増幅度パターン調整に長時間を要し、使い勝手が悪くなる、と言うことであった。すなわち、音に対する感性は、時間、場所、体調等によって揺れることが多く、補聴器では、専門家が、周波数増幅度パターンを設定しているのもかかわらず、その調整には長い時間が必要となっている。したがって、音響再生装置において、このような周波数増幅度パターンを、専門家でも無い者が行うのは難しく、結論として周波数増幅度パターン調整に長時間を要し、使い勝手が悪くなるのであった。
【０００６】
そこで、本発明は、使い勝手を良くすることを目的とするものである。
【課題を解決するための手段】
【０００７】
そして、この目的を達成するために本発明の音響再生装置は、音響信号が入力されるオーディオ入力部と、前記オーディオ入力部の出力側に接続されて、前記音響信号を増幅処理する音響信号処理部と、前記音響信号処理部の周波数増幅度パターンを設定する周波数増幅度パターン設定部と、前記音響信号処理部の出力側に設けられて、前記音響信号を出力するオーディオ出力部とを備え、前記周波数増幅度パターン設定部は、複数の周波数に対する確認音を出力する確認音出力部と、前記確認音出力部からの前記確認音に対するユーザの聴力判定結果を入力するユーザ判定部と、前記ユーザ判定部の聴力判定結果に基づいて前記周波数増幅度パターンを設定するパラメータ決定部とを有し、前記パラメータ決定部には、ユーザの所望の周波数帯域を選択的に増幅するように前記周波数増幅度パターンを補正する音源補正部が接続され、これにより所期の目的を達成するものである。
【発明の効果】
【０００８】
本発明の音響再生装置は、音響信号処理部の周波数増幅度パターンを設定する周波数増幅度パターン設定部が、複数の周波数に対する確認音を出力する確認音出力部と、確認音出力部からの確認音に対するユーザの聴力判定結果を入力するユーザ判定部と、ユーザ判定部の聴力判定結果に基づいて周波数増幅度パターンを設定するパラメータ決定部とを有し、パラメータ決定部には、ユーザの所望の周波数帯域を選択的に増幅するように周波数増幅度パターンを補正する音源補正部が接続されているので、ユーザは、ユーザ判定部による判定を行えば、容易に周波数増幅度パターンを設定でき、その後、パラメータ決定部に接続した音源補正部により、音源毎に期待する特徴的な補正をすれば、自己が期待する視聴感が得られる。従って、ユーザが何度も周波数増幅度パターンを設定する必要が無くなり、使い勝手の良いものとなる。  
【図面の簡単な説明】
【０００９】
【図１】本発明の実施の形態にかかる音響再生装置を説明するための模式図
【図２】音響再生装置の斜視図
【図３】音響再生装置の要部拡大斜視図
【図４】音響再生装置の制御ブロック図
【図５】音響再生装置の表示部を示す正面図
【図６】音響再生装置の表示部を示す正面図
【図７】音響再生装置の動作を説明するための図
【発明を実施するための形態】
【００１０】
以下、本発明の一実施形態の音響再生装置を、添付図面を用いて説明する。図１は、音響再生装置８を説明するための模式図である。テレビジョン受像機１と録画機器２は、音声無線送信部３に接続されている。テレビジョン受像機１と録画機器２からの音声は、音声無線送信部３を介して無線により、音響再生装置８に送信されるようになっている。
【００１１】
音響再生装置８は、図２に示すように、ヘッドフォン４と、ヘッドフォン４にワイヤー１５を介して接続された周波数増幅度パターン設定部１２とを有する。ヘッドフォン４は、図２に示すごとく、アーム５の両端にスピーカ６が設けられて構成されている。
【００１２】
音響再生装置８は、図４に示すごとく、受信装置７と、受信装置７の出力側に接続されて音響信号が入力されるオーディオ入力部９と、このオーディオ入力部９の出力側にＡ／Ｄ変換部１０を介して接続されて、音響信号を増幅処理等する音響信号処理部１１（DSP）と、この音響信号処理部１１の周波数増幅度パターンを設定する周波数増幅度パターン設定部１２と、音響信号処理部１１の出力側にＤ／Ａ変換部１３を介して設けられて音響信号を出力するオーディオ出力部１４と、オーディオ出力部１４に接続されたスピーカ６とを有する。
【００１３】
図３に示すように、周波数増幅度パターン設定部１２は表示部１６を有し、表示部１６の右下には、上方用の選択ボタン１７、右方用の選択ボタン１８、下方用の選択ボタン１９、左方用の選択ボタン２０が配置されている。また、表示部１６の左下には、メニュー選択ボタン２１と、決定ボタン２２が配置されている。周波数増幅度パターン設定部１２は、周波数に応じて、入力信号と出力信号との比すなわち増幅度を設定するものである。
【００１４】
さらに、周波数増幅度パターン設定部１２の内部には、図４に示すように、複数の周波数に対する確認音を出力する確認音出力部２３と、この確認音出力部２３からの確認音に対するユーザの聴力判定結果を入力するユーザ判定部２４と、このユーザ判定部２４の判定結果に基づいて周波数増幅度パターンを設定するパラメータ決定部２５が設けられている。また、パラメータ決定部２５には、ユーザの所望の周波数帯域を選択的に増幅するように周波数増幅度パターンを補正するための音源補正部２８が接続されている。
【００１５】
本実施形態では、音源補正部２８は、例えば音源選択部２６と選択音源表示指示部２７とによって構成されている。すなわち、パラメータ決定部２５に音源選択部２６が接続され、この音源選択部２６の出力側には選択音源表示指示部２７が接続され、さらにこの選択音源表示指示部２７の出力側は、音響信号処理部１１に接続されている。音源補正部２８は、ユーザ判定部２４の判定結果に基づいてパラメータ決定部２５において設定された周波数増幅度パターンのうち、特定の周波数帯域を選択して増幅するものである。
【００１６】
以下、本実施形態における使用例について説明する。先ず、ユーザは上記先行文献と同じように、自分の聴力に合わせて音響信号処理部１１の周波数増幅度パターンを設定する。メニュー選択ボタン２１により、周波数増幅度パターン設定を選択すると、確認音出力部２３から、可聴周波数の低音側から高音側の数点の音を、以下のように、順次スピーカ６に出力する。例えば、低音側の音がスピーカ６から出力されている時には、選択ボタン１７により徐々に音圧レベルを高めて行き、その音がわずかに聞こえた時点で決定ボタン２２を押すと、ユーザ判定部２４により、この低音に対する聴力レベルが判定され、これがパラメータ決定部２５により低音のパラメータとして決定される。すると、次に、低音よりも高い周波数の音がスピーカ６から出力されてくるので、この時にも、選択ボタン１７により徐々に音圧レベルを高めて行き、その音がわずかに聞こえた時点で決定ボタン２２を押すと、ユーザ判定部２４により、この音に対する聴力レベルが判定され、これがパラメータ決定部２５によりその音のパラメータとして決定される。
【００１７】
このようにして、スピーカ６からは、前回よりも高い周波数の音がスピーカ６から出力され、毎回、選択ボタン１７により徐々に音圧レベルを高めて行き、その音がわずかに聞こえて時点で決定ボタン２２を押すと、ユーザ判定部２４により、この音に対する聴力レベルが判定され、これがパラメータ決定部２５によりその音のパラメータとして決定され、以上の操作を繰り返すことで、可聴周波数の低音側から高音側までの、周波数増幅度パターン（図５の２９）が設定される。
【００１８】
次に、音源補正部２８により、パラメータ決定部２５において設定された周波数増幅度パターンのうち、特定の周波数帯域を選択して増幅する。本実施形態では、具体的には下記の通りである。まず、メニュー選択ボタン２１により音源選択を行う。すると、表示部１６には図５のごとく、周波数増幅度パターン２９が表示されるとともに、左上には楽器名窓３０が表出する。そこで、ユーザは、図３の選択ボタン１７、１９によって楽器名を選択すれば、音源選択部２６により、図６のごとく、例えばバイオリンが選択される。
【００１９】
また、この時には、選択音源表示指示部２７により、バイオリンの周波数帯域３２が、周波数増幅度パターン２９に重ね合わせて表示される。その後、図３の選択ボタン１７によって、図６のごとくバイオリンの周波数帯域３２を持ち上げれば、視聴しようとする音源が特に特徴的に表現された音がスピーカ６から出力される周波数増幅度パターンとなる。すなわち、バイオリンの周波数帯域３２が選択的に増幅されるように、周波数増幅度パターンが補正される。これにより、ユーザの聞きたい音源の音が良く聞こえるようになる。
【００２０】
なお、図７は楽器毎の周波数帯を示しており、視聴しようとする音源に期待する楽器を選択すれば、上述のごとく、周波数増幅度パターン２９をその楽器で特徴的に補正した物とすることができる。このため、ユーザは、自分が期待する音を聞くことができるようになり、しかもそのための設定も極めて簡単に行うことができ、使い勝手の良いものとなる。
【産業上の利用可能性】
【００２１】
本発明の音響再生装置では、満足度の高い視聴感を得るために、ユーザが何度も周波数増幅度パターンを設定する必要が無くなるので、使い勝手の良いものとなる。このため、各種音響再生装置として、広く活用が期待される。
【符号の説明】
【００２２】
１  テレビジョン受像機
２  録画機器
３  音声無線送信部
４  ヘッドフォン
５  アーム
６  スピーカ
７  受信装置
８  音響再生装置
９  オーディオ入力部
１０  Ａ／Ｄ変換部
１１  音響信号処理部
１２  周波数増幅度パターン設定部
１３  Ｄ／Ａ変換部
１４  オーディオ出力部
１５  ワイヤー
１６  表示部
１７，１８，１９，２０  選択ボタン
２１  メニュー選択ボタン
２２  決定ボタン
２３  確認音出力部
２４  ユーザ判定部
２５  パラメータ決定部
２６  音源選択部
２７  選択音源表示指示部
２８  音源補正部
２９  周波数増幅度パターン
３０  楽器名窓
【図１】
2011239005.tif 000003
【図２】
2011239005.tif 000004
【図３】
2011239005.tif 000005
【図４】
2011239005.tif 000006
【図５】
2011239005.tif 000007
【図６】
2011239005.tif 000008
【図７】
2011239005.tif 000009